(57)【特許請求の範囲】
【請求項１】
畳床の上面の一部を覆うござである第１の部材と、
前記畳床の上面のうち前記第１の部材により覆われない部分の少なくとも一部を覆うシート状部材である第２の部材と、
シート状部材であって、第１の端辺に沿って折り返された部分である第１の端部と、前記第１の端辺とは異なる第２の端辺に沿って前記第１の端部と同じ側に折り返された部分である第２の端部とを有し、前記第１の部材の一の端辺と当該一の端辺に近接する前記第２の部材の一の端辺とを前記畳床の上面において外部から視認不可能とするように、前記第１の部材および前記第２の部材の前記畳床に対向しない側の面上に配置され、前記第１の端部が前記第１の部材に固着され、前記第２の端部が前記第２の部材に固着されている第３の部材と
を備える畳床の上面を覆うための被覆部材。
【請求項２】
前記第３の部材の前記第１の端部は、前記第１の部材に対し直線的もしくは曲線的な縫い付けにより固着されており、
前記第３の部材の前記第２の端部は、前記第２の部材に対し接着剤または接着シートにより固着されている
請求項１に記載の被覆部材。
【請求項３】
前記第１の部材の前記一の端辺と前記第２の部材の前記一の端辺とが近接している領域において、前記第１の部材と前記第２の部材の境目をまたぐジグザグ縫いにより、前記第３の部材の前記第１の端部は、前記第１の部材および前記第２の部材に対し固着されており、
前記第３の部材の前記第２の端部は、前記第２の部材に対し接着剤または接着シートにより固着されている
請求項１に記載の被覆部材。
【請求項４】
前記第１の部材の前記畳床に対向する側の面上に配置される、弾性を有するシート状体であるクッション部材を備える
請求項１乃至３のいずれかに記載の被覆部材。
【請求項５】
前記第１の部材は染色されたござである
請求項１乃至４のいずれかに記載の被覆部材。
【請求項６】
前記第２の部材は布、紙、木材、合成樹脂、および金属のうちのいずれかの素材のシート状部材である
請求項１乃至５のいずれかに記載の被覆部材。
【請求項７】
前記第２の部材はござである
請求項１乃至５のいずれかに記載の被覆部材。
【請求項８】
前記第２の部材は染色されたござである
請求項７に記載の被覆部材。
【請求項９】
畳床と、
前記畳床の上面上に固着された請求項１乃至８のいずれかに記載の被覆部材と
を備える畳。
【発明の詳細な説明】
【技術分野】
【０００１】
本発明は、畳床の上面を覆うための被覆部材および畳に関する。
【背景技術】
【０００２】
畳床の上面を覆うための被覆部材は、一般的に畳表と呼ばれ藺草を織ることにより作られている。それに加えて、合成繊維を織った畳表や合成樹脂の表面に畳の目を型押ししたシート状の畳表も存在している。
【０００３】
また、日本人の生活様式も変化し、畳そのものに対する需要も減りつつあるのが現状である。そのような状況の中で、藺草に対する需要が減り、藺草を生産する農家の数も少なくなってきている。
【０００４】
ところで、畳表を作るための藺草はその長さにより５乃至７段階に選別されて使用されている。畳表に使用される藺草は、長手方向が畳の長手方向に垂直な短手方向（例えば、９１センチメートルの長さを有する）と平行になるように配置される。
【０００５】
したがって、上述の５乃至７段階に選別された藺草のうち、短い方の１もしくは２段階に属する藺草は、長さが９１センチメートルに満たず使い道がなくて捨てられてしまうこともある。
【０００６】
そこで、何とかしてこの短い藺草を利用し、畳床の上面を覆うための被覆部材を開発して、藺草を作っている農家に対して藺草を作るモチベーションを与えたいという実情がある。
【０００７】
一つの方法は、畳表のデザイン性を高めることである。特許文献１に開示される畳は、畳の一部分を打ち抜いて、当該打ち抜いた部分に耐摩耗性印刷物を設置する構成を有している。
【先行技術文献】
【特許文献】
【０００８】
【特許文献１】実登３０６９４３３号公報
【発明の概要】
【発明が解決しようとする課題】
【０００９】
畳の一部分を打ち抜いて、当該打ち抜いた部分に耐摩耗性印刷物を設置するアイデアは、一旦畳床の上面の全面を畳表で覆う必要があるので、元々短い長さを有する藺草および元々は長いものを短く切った藺草の有効利用には繋がらない可能性が高い。
【００１０】
また、短い藺草により作成したござをつぎはぎにして畳床の上に配置すると、ござどうしの境目をユーザが見た場合に、見た目の悪さが目立つという問題もある。
【００１１】
そこで、本発明は、短い長さの藺草を有効利用して製作コストを削減するとともに、デザイン性の高い畳床の上面を覆うための被覆部材および畳を提供することを目的とする。
【課題を解決するための手段】
【００１２】
本発明は、上記の目的に鑑みて想到されたものであり、
畳床の上面の一部を覆うござである第１の部材と、
前記畳床の上面のうち前記第１の部材により覆われない部分の少なくとも一部を覆うシート状部材である第２の部材と、
シート状部材であって、第１の端辺に沿って折り返された部分である第１の端部と、前記第１の端辺とは異なる第２の端辺に沿って前記第１の端部と同じ側に折り返された部分である第２の端部とを有し、前記第１の部材の一の端辺と当該一の端辺に近接する前記第２の部材の一の端辺とを前記畳床の上面において外部から視認不可能とするように、前記第１の部材および前記第２の部材の前記畳床に対向しない側の面上に配置され、前記第１の端部が前記第１の部材に固着され、前記第２の端部が前記第２の部材に固着されている第３の部材と
を備える畳床の上面を覆うための被覆部材を提供する（第１の実施態様）。
【００１３】
また、上記の第１の実施態様において、
前記第３の部材の前記第１の端部は、前記第１の部材に対し直線的もしくは曲線的な縫い付けにより固着されており、
前記第３の部材の前記第２の端部は、前記第２の部材に対し接着剤または接着シートにより固着されている
構成を採用してもよい（第２の実施態様）。
【００１４】
また、上記の第１の実施態様において、
前記第１の部材の前記一の端辺と前記第２の部材の前記一の端辺とが近接している領域において、前記第１の部材と前記第２の部材の境目をまたぐジグザグ縫いにより、前記第３の部材の前記第１の端部は、前記第１の部材および前記第２の部材に対し固着されており、
前記第３の部材の前記第２の端部は、前記第２の部材に対し接着剤または接着シートにより固着されている
構成を採用してもよい（第３の実施態様）。
【００２０】
また、上記の第１乃至３のいずれかの実施態様において、
前記第１の部材の前記畳床に対向する側の面上に配置される、弾性を有するシート状体であるクッション部材を備える
構成を採用してもよい（第４の実施態様）。
【００２１】
また、上記の第１乃至４のいずれかの実施態様において、
前記第１の部材は染色されたござである
構成を採用してもよい（第５の実施態様）。
【００２２】
また、上記の第１乃至５のいずれかの実施態様において、
前記第２の部材は布、紙、木材、合成樹脂、および金属のうちのいずれかの素材のシート状部材である
構成を採用してもよい（第６の実施態様）。
【００２３】
また、上記の第１乃至５のいずれかの実施態様において、
前記第２の部材はござである
構成を採用してもよい（第７の実施態様）。
【００２４】
また、上記の第７の実施態様において、
前記第２の部材は染色されたござである
構成を採用してもよい（第８の実施態様）。
【００２５】
また、本発明は、
畳床と、
前記畳床の上面上に固着された請求項１乃至８のいずれかに記載の被覆部材と
を備える畳を提供する（第９の実施態様）。
【発明の効果】
【００２８】
本発明の第１の実施態様にかかる被覆部材によれば、例えば複数のござと当該複数のござの境目や端辺を上方から覆う布を有しているので、短い長さの藺草を有効利用することができるとともに、当該複数のござの境目や端辺が外部から視認されることがなく、デザイン性を高めることができる。なお、当該布も内側に折り込むようにしてござに固着されるので、端辺が外部から視認されることがない。
【００２９】
本発明の第２の実施態様にかかる被覆部材によれば、例えば布をござに糸で縫い付けているので、接着剤もしくは接着シートを用いた固着方法よりも優れた耐久性を有することができる。
【００３０】
本発明の第３の実施態様にかかる被覆部材によれば、例えば布のござに対する縫い付けがござとござとの境目を挟んで互いに行なわれるので、当該ござとござと布との縫い付けを一体に行なうことができ、三者をしっかりと結び付けることができる。
【００３６】
本発明の第４の実施態様にかかる被覆部材によれば、例えば不織布がござの裏面と畳床の上面との間に配置されるので、ユーザが被覆部材を押下した場合のクッション性を高めることができる。
【００３７】
本発明の第５の実施態様にかかる被覆部材によれば、ござが染料により染色されるので、質の悪い藺草を有効利用することができる。
【００３８】
本発明の第６の実施態様にかかる被覆部材によれば、第２の部材がござ以外の素材のシート状部材であるので、例えば、布、紙、木材、および合成樹脂などを利用して、低コストでありかつデザイン性の高い被覆部材を提供することができる。
【００３９】
本発明の第７の実施態様にかかる被覆部材によれば、第２の部材がござであるので、より本物の畳表に近い被覆部材を提供することができる。
【００４０】
本発明の第８の実施態様にかかる被覆部材によれば、第２の部材が染色されたござであるので、質の悪い藺草を有効利用することができる。
【００４１】
本発明の第９の実施態様にかかる畳によれば、上述の第１乃至８のいずれかの実施態様にかかる被覆部材が畳床の上面上に固着されるので、上述の効果を有する畳を提供することができる。
【図面の簡単な説明】
【００４４】
【図１】図１は、本発明の一具体例である実施例にかかる畳の平面図である。
【図２】図２は、本発明の一具体例である実施例にかかる畳を長手方向に垂直な平面で切って見た場合の断面図である。
【図３】図３は、藺草を織ることにより形成されるござの模式的な図である。
【図４】図４は、本発明の一具体例である別の実施例にかかる畳の平面図である。
【図５】図５は、本発明にかかる様々なデザインの畳の一例を示す平面図である。
【図６】図６は、本発明の一具体例である実施例に対する変形例にかかる畳の平面図である。
【図７】図７は、本発明の一具体例である別の実施例に対する変形例にかかる畳を長手方向に垂直な平面で切って見た場合の断面図である。
【図８】図８は、本発明の一具体例である実施例に対する変形例にかかる畳の構成を説明する図である。
【発明を実施するための形態】
【００４５】
（第１実施例）
以下、本発明の一具体例である実施例について、図面を用いて説明する。
【００４６】
図１は、本実施例にかかる畳１の平面図である。また、図２は、本実施例にかかる畳１を長手方向に垂直な平面で切って見た場合の断面図である。
【００４７】
畳１は、畳床１１と、畳床１１の上面上に固着される被覆部材１２と、畳糸１３を備えている。
【００４８】
被覆部材１２は、畳床１１の上面の一部を覆うござ１２１ａ、ござ１２１ｂ、およびござ１２１ｃと、ござ１２１ａとござ１２１ｂとの境目を上方から覆うように配置される細長い帯状の布１２２ａと、ござ１２１ｂとござ１２１ｃとの境目を上方から覆うように配置される細長い帯状の布１２２ｂと、ござ１２１ａおよびござ１２１ｃの外側の端辺を覆うように各々配置される細長い帯状の布１２２ｃおよび布１２２ｄと、不織布１２３の層とを有している。
【００４９】
なお、本実施例においては、ござ１２１ａとござ１２１ｂとが近接する部分に着目すると、ござ１２１ａが第１の部材であり、ござ１２１ｂが第２の部材である。また、ござ１２１ｂと１２１ｃとが近接する部分に着目すると、ござ１２１ｂが第１の部材であり、１２１ｃが第２の部材である。また、布１２２ａおよび布１２２ｂは第３の部材である。
【００５０】
ござ１２１ａ、ござ１２１ｂ、およびござ１２１ｃは、図３に示されるように藺草を織ることにより形成されている。藺草の長手方向は、畳１における長手方向に垂直な短手方向と平行になるように配置される。したがって、藺草の長さが十分でない場合には、ござが畳床の上面の全体を覆うことができない場合が出てくるわけである。なお、本発明にかかるござは、織る前に元々藺草の長さが短いものに加えて、元々は長い藺草を織った後に短くカットしたものも想定している。
【００５１】
ござ１２１ａ、ござ１２１ｂ、およびござ１２１ｃは、そのような長手方向の長さが十分でない藺草から作られている。さらに、そのような藺草は質があまりよくないものが多いので、ござ１２１ａ、ござ１２１ｂ、およびござ１２１ｃは、染料により染色されている。
【００５２】
ござ１２１ａ、ござ１２１ｂ、およびござ１２１ｃの長手方向に垂直な短手方向の長さは例えば３０センチメートルである。また、ござ１２１ａ、ござ１２１ｂ、およびござ１２１ｃの長手方向の長さは、例えば１９０センチメートルとなるように製作されている。
【００５３】
布１２２ａ、布１２２ｂ、布１２２ｃ、および布１２２ｄは、ござ１２１ａ、ござ１２１ｂ、およびござ１２１ｃを畳床１１の上面上に敷き詰めた場合に、それらの境目もしくは端辺が外部から見えないようにするためのものである。当該境目および端辺が外部から見えると、デザイン上格好が悪いからである。
【００５４】
布１２２ａおよび布１２２ｂの長手方向に垂直な短手方向の長さは、それらを平面に広げた状態で例えば１５センチメートルである。また、布１２２ａおよび布１２２ｂの長手方向の長さは、それらを平面に広げた状態で例えば１９０センチメートルである。
【００５５】
布１２２ｃおよび布１２２ｄの長手方向に垂直な短手方向の長さは、それらを平面に広げた状態で例えば１０センチメートルである。また、布１２２ｃおよび布１２２ｄの長手方向の長さは、それらを平面に広げた状態で例えば１９０センチメートルである。
【００５６】
不織布１２３は、例えばござ１２１ａ、ござ１２１ｂ、およびござ１２１ｃの裏面全体に配置されており、ユーザが畳１を押圧した場合のクッション性を高める役割を果たしている。
【００５７】
畳糸１３は、例えば綿糸もしくは麻糸である。
【００５８】
被覆部材１２は、ござ１２１ａ、ござ１２１ｂ、およびござ１２１ｃと、布１２２ａ、布１２２ｂ、布１２２ｃ、および布１２２ｄと、不織布１２３とを縫い付けおよび接着剤による接着により固着させることによって構成される。
【００５９】
より具体的には、例えば、ござ１２１ａ、ござ１２１ｂ、およびござ１２１ｃを、畳床１１の上面上に配置されるような組み合わせにしておいて、それらの裏面に不織布１２３を接着剤により接着する。
【００６０】
そして、ござ１２１ａとござ１２１ｂとの境目において、ござ１２１ａの端辺から内側に例えば２センチメートル行ったライン上に沿って、上下方向にかつ上方から見た場合に直線的に布１２２ａをござ１２１ａおよび不織布１２３に畳糸１３で縫い付ける。
【００６１】
畳１を製作する者は、ござ１２１ａおよび不織布１２３に縫い付けた布１２２ａを、縫い付けに用いた畳糸１３を内包するようにして、ござ１２１ｂの方向へと反転させて引っ張る。そして、引っ張った布１２２ａの端辺を内側に折り込んで、接着剤によりござ１２１ｂに接着する。
【００６２】
そうすることによって、ござ１２１ａおよびござ１２１ｂの端辺が外部から視認不可能となり、かつ布１２２ａの端辺も外部から視認不可能となり、ユーザから見た場合の、見た目の悪さを解消することができる。
【００６３】
同様にして、ござ１２１ｂとござ１２１ｃとの境目において、ござ１２１ｂの端辺から内側に例えば２センチメートル行ったライン上に沿って、上下方向にかつ上方から見た場合に直線的に布１２２ｂをござ１２１ｂおよび不織布１２３に畳糸１３で縫い付ける。
【００６４】
畳１を製作する者は、ござ１２１ｂおよび不織布１２３に縫い付けた布１２２ｂを、縫い付けに用いた畳糸１３を内包するようにして、ござ１２１ｃの方向へと反転させて引っ張る。そして、引っ張った布１２２ｂの端辺を内側に折り込んで、接着剤によりござ１２１ｃに接着する。
【００６５】
そうすることによって、上述した内容と同様に、ユーザから見た場合の、見た目の悪さを解消することができる。
【００６６】
また、ござ１２１ａにおけるござ１２１ｂと近接しない側の端辺、およびござ１２１ｃにおける１２１ｂと近接しない側の端辺から内側に例えば２センチメートル行ったライン上に沿って、各々上下方向にかつ上方から見た場合に直線的に布１２２ｃおよび布１２２ｄを、ござ１２１ａ（および不織布１２３）およびござ１２１ｃ（および不織布１２３）に畳糸１３で縫い付ける。
【００６７】
そして、畳糸１３を内包するようにして、布１２２ｃおよび布１２２ｄを（仮想的に存在する畳床１１から見て）外側の方向へと引っ張る。その後にどうするかについては、後述する。
【００６８】
以上のように説明してきた工程により、被覆部材１２は構成される。
【００６９】
畳床１１は、わら床、わらサンド床、およびボード床（建材床）のいずれであってもよく、特に問題がなければその他のものから作られていてもよい。なお、わらサンド床とは、わらの間に発泡スチロールを挟んだ畳床であり、ボード床とは、細かく砕いた木材を糊で固めたものの間に発泡スチロールを挟んだ畳床のことである。また、畳床１１は、ござを編み込んだものや、ござを重ねたものから作られていてもよい。
【００７０】
また、畳床１１の長手方向の長さは例えば１８０センチメートルであり、長手方向に垂直な短手方向の長さは例えば９０センチメートルである。
【００７１】
次に、被覆部材１２を畳床１１に固着させる。より具体的には、ござ１２１ａ、ござ１２１ｂ、およびござ１２１ｃの裏面に接着された不織布の層と、畳床１１の上面とを接着剤により全面接着し、上述の布１２２ｃおよび布１２２ｄの（畳床１１の）外側へ引っ張った部分を、畳床１１の側面に対向させ、両者を接着剤により接着する。さらに、被覆部材１２の長手方向の両端辺を（畳床から見て）外側に引っ張って、当該引っ張った部分を畳床１１の側面に対向させ、両者を接着剤により接着する。
【００７２】
以上のようにして構成された畳１は、ござ１２１ａ、ござ１２１ｂ、およびござ１２１ｃと、布１２２ａ、布１２２ｂ、布１２２ｃ、および布１２２ｄの端辺が外部から視認できず、ユーザが見た場合の見た目の悪さは解消されている。
【００７３】
なお、畳１の長手方向においては、ござ１２１ａ、ござ１２１ｂ、およびござ１２１ｃは長さの制限を受けることがないので、上述のように畳床１１の長手方向と垂直な側面を覆うことができ、ござ１２１ａ、ござ１２１ｂ、およびござ１２１ｃの端辺が外部から視認されることはない。
【００７４】
また、畳１の長手方向の長さは１８２センチメートルであり、畳１の長手方向に垂直な短手方向の長さは９１センチメートルである。これらの長さは、畳床１１の長さに、畳床１１の側面に接着したござ１２１ａ（不織布１２３を含む）、ござ１２１ｂ（不織布１２３を含む）、およびござ１２１ｃ（不織布１２３を含む）や、布１２２ｃおよび布１２２ｄの厚みを加えた長さである。
【００７５】
（第２実施例）
以下、本発明の一具体例である別の実施例について、図面を用いて説明する。なお、本説明においては、上述の第１実施例と異なる点を中心に説明する。また、上述の第１実施例の構成要素と同じ構成要素については同じ参照番号を付する。
【００７６】
図４は、本実施例にかかる畳２の平面図である。
【００７７】
被覆部材２２は、畳床１１の上面の一部を覆うござ２２１と、畳床１１の上面においてござ２２１が覆っている領域以外の少なくとも全ての領域を覆っている布２２２とを有する。
【００７８】
なお、本実施例においては、ござ２２１が第１の部材であり、布２２２が第２の部材である。
【００７９】
図４に示されるように、ござ２２１の端辺と布２２２の端辺とが近接する領域においては、布２２２がござ２２１の端辺を乗り越えて、ござ２２１の側から見てござ２２１の端辺の内側に２センチメートル入り込んだ位置（一つの辺）が構成するラインにおいて、布２２２が手前の下側に折り込まれるようにしてござ２２１の上に固着される。
【００８０】
より具体的には、畳２を製作する者は、上述のござ２２１の側から見てござ２２１の端辺の内側に例えば２センチメートル入り込んだ位置（一つの辺）が構成するライン上において、布２２２をござ２２１に対して当該ラインに沿って上下方向に畳糸１３で縫い付ける。
【００８１】
そして、当該縫い付けた畳糸１３を内包するようにして、布２２２をござ２２１とは反対側の方向へ引っ張り、ござ２２１と布２２２とで畳床１１の上面の全面に対向するような形状を有する被覆部材２２を構成する。
【００８２】
以上のようにして構成された被覆部材２２は、布２２２の端辺が外部から視認不可能となるように当該端辺が畳床１１に対向する側に折り込まれた状態であり、またござ２２１の端辺を視認不可能とするように当該端辺を布２２２が覆った状態であるように形成されている。したがって、ござ２２１と布２２２との境目付近に存在する両者の端辺が外部から視認不可能であり、ユーザが見た場合に、見た目の悪さを感じさせない。
【００８３】
以上説明してきたように、第１実施例および第２実施例にかかる畳１および畳２においては、今まで使い道の少なかった長手方向の長さが短い藺草を有効に用いることができ、さらに、従来にはなかったデザイン性の高い畳をユーザに提供することができる。
【００８４】
（変形例）
上述した実施例は、本発明の技術的思想の範囲内において様々に変形が可能である。
【００８５】
すなわち、畳１および畳２の各構成要素を特定する数値、形状、素材、個数、位置などはあくまでも一例であって、特に問題がなければその他の数値、形状、素材、個数、位置などが用いられてもよい。
【００８６】
例えば、被覆部材１２は、ござ１２１ａ、ござ１２１ｂ、ござ１２１ｃ、布１２２ａ、布１２２ｂ、布１２２ｃ、布１２２ｄ、および不織布１２３を有するものとしたが、本発明はこれによって限定されるものではない。したがって、例えば、特に問題がなければ、不織布１２３は無くてもよい。もしくは、不織布１２３は、不織布１２３以外の弾性を有するシート状体であるクッション部材によって代替されてもよい。また、例えば、ござや布の数を増やしたり、それらの形状を変形したりしてもよい。
【００８７】
また、ござ１２１ａ、ござ１２１ｂ、およびござ１２１ｃは、染料により染色されているものとしたが、本発明はこれによって限定されるものではなく、それらは染色されていなくてもよい。また、染色は主として藺草の質の低さを隠すために行なわれるので、濃い色で染色されることが多いが、本発明はこれによって限定されるものではない。なお、本発明において使用されるござは、染色したもの、染色しないもの、および脱色したもののうちのいずれかである。
【００８８】
また、ござ１２１ａ、ござ１２１ｂ、ござ１２１ｃ、布１２２ａ、布１２２ｂ、布１２２ｃ、および布１２２ｄの上述の長手方向および短手方向の長さを示す数値は、本発明を限定するものではなく、他の数値の長さが用いられてもよい。
【００８９】
また、畳糸１３は、例えば綿糸もしくは麻糸であるものとしたが、本発明はこれによって限定されるものではなく、畳糸１３はビニロンなどの他の素材により作られていてもよい。
【００９０】
また、被覆部材１２は、ござ１２１ａ、ござ１２１ｂ、およびござ１２１ｃと、布１２２ａ、布１２２ｂ、布１２２ｃ、および布１２２ｄと、不織布１２３を縫い付けおよび接着剤による接着により固着させることによって構成されるものとしたが、本発明はこれによって限定されるものではない。したがって、例えば、接着剤の代わりに接着シートが用いられたり縫い付けが行なわれたりしてもよいし、縫い付けの代わりに接着剤や接着シートが用いられてもよいし、特に問題がなければ他のいかなる方法により部材どうしが固着されてもよい。
【００９１】
また、上述の縫付けは、布１２２ａ、布１２２ｂ、布１２２ｃ、もしくは布１２２ｄと、ござ１２１ａ、ござ１２１ｂ、もしくはござ１２１ｃと、不織布１２３の層とを縫い付けることにより行なわれるものとしたが、本発明はこれによって限定されるものではない。したがって、特に問題がなければ、それらと畳床１１とを合わせて縫い付けてもよい。そうすれば、ござ１２１ａなどがよりしっかりと畳床１１に固着される。
【００９２】
また、上述の縫付けは、各部材の端辺に沿って直線的に行なわれるものとしたが、本発明はこれによって限定されるものではない。したがって、例えば、ござ１２１ａの端辺とござ１２１ｂの端辺とが近接している領域において、布１２２ａをござ１２１ａとござ１２１ｂとの境目をまたいでジグザグ（交互）に縫い付けてもよい。そうすることによって、布１２２ａとござ１２１ａとござ１２１ｂとをよりしっかりと一体化させることができる。これは、他の布とござの縫い付けにおいても同様に行なわれ得る。
【００９３】
また、畳床１１の長手方向の長さは例えば１８０センチメートルであり、長手方向に垂直な短手方向の長さは例えば９０センチメートルであるものとしたが、本発明はこれによって限定されるものではない。
【００９４】
また、畳１の長手方向の長さは１８２センチメートルであり、畳１の長手方向に垂直な短手方向の長さは９１センチメートルであるものとしたが、本発明はこれによって限定されるものではない。本発明にかかる畳は、パネル式およびタイル式などの小さいものとして製作されてもよい。
【００９５】
また、上述の実施例群においては、被覆部材１２および被覆部材２２は、畳床１１の上面の全体を覆っているものとしたが、本発明はこれによって限定されるものではない。したがって、畳床１１の上面において被覆部材１２もしくは被覆部材２２が覆っていない部分があってもよい。
【００９６】
また、第１実施例における第１の部材、第２の部材、および第３の部材、もしくは第２実施例における第１の部材および第２の部材の形状および個数を自由に変えてやることによって、様々なデザインの畳１もしくは畳２を得ることができる。その一例を、図５に示す。なお、第２の部材および第３の部材は、布、紙、木材、および合成樹脂などのござ以外の素材のシート状部材であってもよい。
【００９７】
また、被覆部材１２および被覆部材２２における各部材の（直線的な）境目に対向する位置にある畳床１１のラインが切り離されることにより分離されていれば、上述の境目を中心として畳床１１を上方に向けて折り畳むことができる。そのようにして折り畳まれた畳１および畳２は、収納する場合に便利である。
【００９８】
また、図６に示されるように、上述の第１実施例において、布１２２ａおよび布１２２ｂの近辺のござ１２１ａ、ござ１２１ｂ、およびござ１２１ｃを、畳床１１に対してハトメもしくはカシメで固着させてもよい。この場合、ハトメもしくはカシメは色の付いたものであってもよい。そうすれば、見た目のデザイン性も良好となり、好適だからである。
【００９９】
また、図７に示されるように、上述の第２実施例において、布２２２と畳床１１との間に、ござ２２１と厚さが略等しいござ、布、紙、木材、合成樹脂、金属などのシート状部材を配置してもよい。そうすることによって、ござ２２１と布２２２が近接する部分の段差を解消することができる。
【０１００】
また、本発明にかかる被覆部材に使用されるござは、不織布などのシート状部材にカットされたござを接着するかもしくは縫い付けて、１枚のござとしてもよい。この場合は、カットされたござの端辺が外部から視認可能であるが、カットを適切に行ない、また上述のござを不織布などのシート状部材に適切に固着させることにより、ユーザが見た場合の、見た目の悪さを緩和させることができる。
【０１０１】
また、本発明にかかる（ござを有する）被覆部材は、タペストリーやテーブルセンターなどとしても利用することができる。当該被覆部材をタペストリーとして使用する場合には、ござの裏面に対してシート状部材を接着するもしくは縫い付ける。なお、タペストリーおよびテーブルセンターに用いられるござは、元々長い藺草を織ったものを短くカットしたものである。これは、タペストリーおよびテーブルセンターとして利用される場合には、藺草自体の見た目が重要視されるからである。
【０１０２】
また、図８に示されるように、ござとござどうし、もしくはござとござ以外の素材をミシン縫いなどで縫い付けることにより被覆部材を構成してもよい。この場合、ござの端辺は布などで覆われていれば好適である。また、ござとござとの隙間は、できるだけ狭くなるようにすることが望ましく、可能であれば隙間ができなければよい。
【産業上の利用可能性】
【０１０３】
本発明の畳床の上面を覆うための被覆部材および畳は、本来使用されないような短い長さの藺草を用いて製作されるため安価であるとともに、ござなどの形状を工夫することにより高いデザイン性を有する。したがって、大量に製造・販売されいわゆる製造業や、小売業などのサービス業において利用可能である。
【符号の説明】
【０１０４】
１…畳、１１…畳床、１２…被覆部材、１２１ａ…ござ、１２１ｂ…ござ、１２１ｃ…ござ、１２２ａ…布、１２２ｂ…布、１２２ｃ…布、１２２ｄ…布、１２３…不織布、１３…畳糸、２…畳、２２…被覆部材、２２１…ござ、２２２…布
【図１】
0005963428.tif 000002
【図２】
0005963428.tif 000003
【図３】
0005963428.tif 000004
【図４】
0005963428.tif 000005
【図５】
0005963428.tif 000006
【図６】
0005963428.tif 000007
【図７】
0005963428.tif 000008
【図８】
0005963428.tif 000009